【手続補正書】
【提出日】平成17年11月9日(2005.11.9)
【手続補正１】
【補正対象書類名】特許請求の範囲
【補正対象項目名】全文
【補正方法】変更
【補正の内容】
【特許請求の範囲】
【請求項１】
レーザダイオードからのレーザ光を照射して光ディスク上にマーク及びスペースを形成し、情報を記録する光ディスク記録方法であって、
スペース形成期間中に高周波重畳した駆動電流を前記レーザダイオードに供給し、スペース形成期間からマーク形成期間へ変化するタイミングに対して所定期間先行して前記高周波重畳を停止することを特徴とする光ディスク記録方法。
【請求項２】
レーザダイオードからのレーザ光を照射して光ディスク上にマーク及びスペースを形成し、情報を記録する光ディスク記録方法であって、
スペース形成期間中に高周波重畳した駆動電流を前記レーザダイオードに供給し、マーク形成期間からスペース形成期間へ変化するタイミングに対して所定期間後に前記高周波重畳を開始することを特徴とする光ディスク記録方法。
【請求項３】
光ディスク上にマーク及びスペースを形成し、情報を記録する光ディスク装置であって、
レーザ光を照射するレーザダイオードと、
前記レーザダイオードを駆動するレーザダイオード駆動部と、
前記レーザダイオード駆動部を制御する制御部とを備え、
前記制御部は、スペース形成期間中に前記レーザダイオード駆動部が高周波重畳した駆動電流を前記レーザダイオードに供給するように制御し、また、スペース形成期間からマーク形成期間へ変化するタイミングに対して所定期間先行して前記供給を停止するように制御することを特徴とする光ディスク装置。
【請求項４】
光ディスク上にマーク及びスペースを形成し、情報を記録する光ディスク装置であって、
レーザ光を照射するレーザダイオードと、
前記レーザダイオードを駆動するレーザダイオード駆動部と、
前記レーザダイオード駆動部を制御する制御部とを備え、
前記制御部は、スペース形成期間中に前記レーザダイオード駆動部が高周波重畳した駆動電流を前記レーザダイオードに供給するように制御し、また、マーク形成期間からスペース形成期間へ変化するタイミングに対して所定期間後に前記供給を停止するように制御することを特徴とする光ディスク装置。
【請求項５】
光ディスク上にマーク及びスペースを形成し、情報を記録する光ディスク装置であって、
レーザ光を照射するレーザダイオードと、
高周波電流を出力する高周波電流出力手段と直流電流を出力する直流電流出力手段とを有するレーザダイオード駆動部であって前記レーザダイオードを駆動するレーザダイオード駆動部と、
前記レーザダイオードの出力パワーを検出するフロントモニタと、
前記フロントモニタの出力電流を電圧に変換する第１の電流・電圧変換回路と、
前記光ディスクからの反射光を検出するディスク反射光検出素子と、
前記ディスク反射光検出素子の出力電流を電圧に変換する第２の電流・電圧変換回路と、
前記レーザダイオード駆動部を制御する制御部と、
前記レーザ駆動部と前記制御部を接続するフレキシブルケーブルと、
を有し、
前記制御部は、スペース形成期間中に前記レーザダイオード駆動部が高周波重畳した駆動電流を前記レーザダイオードに供給するように制御し、また、スペース形成期間からマーク形成期間へ変化するタイミングに対して所定期間先行して前記供給を停止するように制御することを特徴とする光ディスク装置。
【請求項６】
光ディスク上にマーク及びスペースを形成し、情報を記録する光ディスク装置であって、
レーザ光を照射するレーザダイオードと、
高周波電流を出力する高周波電流出力手段と直流電流を出力する直流電流出力手段とを有するレーザダイオード駆動部であって前記レーザダイオードを駆動するレーザダイオード駆動部と、
前記レーザダイオードの出力パワーを検出するフロントモニタと、
前記フロントモニタの出力電流を電圧に変換する第１の電流・電圧変換回路と、
前記光ディスクからの反射光を検出するディスク反射光検出素子と、
前記ディスク反射光検出素子の出力電流を電圧に変換する第２の電流・電圧変換回路と、
前記レーザダイオード駆動部を制御する制御部と、
前記レーザ駆動部と前記制御部を接続するフレキシブルケーブルと、
を有し、
前記制御部は、スペース形成期間中に前記レーザダイオード駆動部が高周波重畳した駆動電流を前記レーザダイオードに供給するように制御し、また、マーク形成期間からスペース形成期間へ変化するタイミングに対して所定期間後に前記供給を停止するように制御することを特徴とする光ディスク装置。
【請求項７】
レーザダイオードからのレーザを照射することにより光ディスクに記録を行う光ディスク記録方法であって、
第１の電流に対し高周波重畳を行った電流を前記レーザダイオードに供給する第１のステップと、
高周波重畳を行わない第１の電流を前記レーザダイオードに供給する第２のステップと、
前記第１の電流よりも大きい第２の電流を前記レーザダイオードに供給する第３のステップとからなり、
前記第１のステップ、第２のステップ及び第３のステップは前記光ディスク上にマーク及びスペースを形成する記録動作期間に行われることを特徴とする光ディスク記録方法。
【請求項８】
請求項７に記載の光ディスク記録方法において、
前記第３のステップの後に、
前記第２の電流に対し高周波重畳を行った電流を前記レーザダイオードに供給する第４のステップが設けられていることを特徴とする光ディスク記録方法。
【請求項９】
請求項７又は８何れか一項に記載の光ディスク記録方法において、
前記第１のステップでは、前記光ディスクにスペースを形成し、
前記第３のステップでは、前記光ディスクにマークを形成することを特徴とする光ディスク記録方法。
【請求項１０】
レーザダイオードからのレーザを照射することにより光ディスクに記録を行う光ディスク記録方法であって、
第１の電流を前記レーザダイオードに供給する第１のステップと、
前記第１の電流よりも小さく、かつ、高周波重畳を行わない第２の電流を前記レーザダイオードに供給する第２のステップと、
前記第２の電流に対し高周波重畳を行った電流を前記レーザダイオードに供給する第３のステップとからなり、
前記第１のステップ、第２のステップ及び第３のステップは前記光ディスク上にマーク及びスペースを形成する記録動作期間に行われることを特徴とする光ディスク記録方法。
【請求項１１】
請求項１０に記載の光ディスク記録方法において、
前記第１のステップは、前記第１の電流に対し高周波重畳を行った電流を前記レーザダイオードに供給する第４のステップの後に実施されることを特徴とする光ディスク記録方法。
【請求項１２】
請求項１０又は１１何れか一項に記載の光ディスク記録方法において、
前記第１のステップでは、前記光ディスクにマークを形成し、
前記第３のステップでは、前記光ディスクにスペースを形成することを特徴とする光ディスク記録方法。
【請求項１３】
請求項７から１２何れか一項に記載の光ディスク記録方法において、
前記第２のステップは、前記第２の電流を供給するときに使用する高周波成分の周期の１／２期間以上続行することを特徴とする光ディスク記録方法。
【手続補正２】
【補正対象書類名】明細書
【補正対象項目名】００１０
【補正方法】変更
【補正の内容】
【００１０】
前述の課題は、以下の手段により解決することができる。
（１）レーザダイオードからのレーザ光を照射して光ディスク上にマーク及びスペースを形成し、情報を記録する光ディスク記録方法であって、スペース形成期間中に高周波重畳した駆動電流を前記レーザダイオードに供給し、スペース形成期間からマーク形成期間へ変化するタイミングに対して所定期間先行して前記高周波重畳を停止することを特徴とする光ディスク記録方法。
（２）レーザダイオードからのレーザ光を照射して光ディスク上にマーク及びスペースを形成し、情報を記録する光ディスク記録方法であって、スペース形成期間中に高周波重畳した駆動電流を前記レーザダイオードに供給し、マーク形成期間からスペース形成期間へ変化するタイミングに対して所定期間後に前記高周波重畳を開始することを特徴とする光ディスク記録方法。
（３）光ディスク上にマーク及びスペースを形成し、情報を記録する光ディスク装置であって、レーザ光を照射するレーザダイオードと、前記レーザダイオードを駆動するレーザダイオード駆動部と、前記レーザダイオード駆動部を制御する制御部とを備え、前記制御部は、スペース形成期間中に前記レーザダイオード駆動部が高周波重畳した駆動電流を前記レーザダイオードに供給するように制御し、また、スペース形成期間からマーク形成期間へ変化するタイミングに対して所定期間先行して前記供給を停止するように制御することを特徴とする光ディスク装置。
（４）光ディスク上にマーク及びスペースを形成し、情報を記録する光ディスク装置であって、レーザ光を照射するレーザダイオードと、前記レーザダイオードを駆動するレーザダイオード駆動部と、前記レーザダイオード駆動部を制御する制御部とを備え、前記制御部は、スペース形成期間中に前記レーザダイオード駆動部が高周波重畳した駆動電流を前記レーザダイオードに供給するように制御し、また、マーク形成期間からスペース形成期間へ変化するタイミングに対して所定期間後に前記供給を停止するように制御することを特徴とする光ディスク装置。
（５）レーザダイオードからのレーザを照射することにより光ディスクに記録を行う光ディスク記録方法であって、第１の電流に対し高周波重畳を行った電流を前記レーザダイオードに供給する第１のステップと、高周波重畳を行わない第１の電流を前記レーザダイオードに供給する第２のステップと、前記第１の電流よりも大きい第２の電流を前記レーザダイオードに供給する第３のステップとからなり、前記第１のステップ、第２のステップ及び第３のステップは前記光ディスク上にマーク及びスペースを形成する記録動作期間に行われることを特徴とする光ディスク記録方法。
（６）レーザダイオードからのレーザを照射することにより光ディスクに記録を行う光ディスク記録方法であって、第１の電流を前記レーザダイオードに供給する第１のステップと、前記第１の電流よりも小さく、かつ、高周波重畳を行わない第２の電流を前記レーザダイオードに供給する第２のステップと、前記第２の電流に対し高周波重畳を行った電流を前記レーザダイオードに供給する第３のステップとからなり、前記第１のステップ、第２のステップ及び第３のステップは前記光ディスク上にマーク及びスペースを形成する記録動作期間に行われることを特徴とする光ディスク記録方法。